(57)【要約】【課題】入力映像信号に応じて消費電力量が極端に変化する。結果的に、消費電力が規定値を超えたり、バッテリーの使用時間が極端に短くなる。【解決手段】自発光パネル面のピーク輝度を１フレーム単位で調整するピーク輝度調整装置に、（ａ）１フレーム期間中に入力される映像信号の平均階調値を算出する平均階調値算出部と、（ｂ）算出された平均階調値に応じた標準ピーク輝度を求め、当該標準ピーク輝度と算出された平均階調値で消費される消費電力量を算出する消費電力算出部と、（ｃ）一定期間内に消費される消費電力の合計値が設定電力量を超えないように、標準ピーク輝度を調整するピーク輝度調整部とを搭載する。【選択図】図６
2007147868.tif 000002
【特許請求の範囲】
【請求項１】
自発光パネル面のピーク輝度を１フレーム単位で可変制御可能な自発光表示装置において、
１フレーム期間中に入力される映像信号の平均階調値を算出する平均階調値算出部と、
算出された平均階調値に応じた標準ピーク輝度を求め、当該標準ピーク輝度と算出された平均階調値で消費される消費電力量を算出する消費電力算出部と、
一定期間内に消費される消費電力の合計値が設定電力量を超えないように、前記標準ピーク輝度を調整するピーク輝度調整部と
を有することを特徴とする自発光表示装置。
【請求項２】
請求項１に記載の自発光表示装置において、
前記ピーク輝度調整部は、調整後の標準ピーク輝度を、（Ａ／Ｂ）×標準ピーク輝度で与える
ことを特徴とする自発光表示装置。
ただし、Ａは、制御単位に定めた一定期間内での残存期間に消費可能な実際の消費電力量であり、Ｂは、制御単位に定めた一定期間の全期間を同じピーク輝度で点灯する場合に残存期間に消費可能な消費電力量である。
【請求項３】
請求項１に記載の自発光表示装置において、
算出された平均階調値に応じた標準ピーク輝度は、個々の平均階調値と標準ピーク輝度の組み合わせを記録した対応テーブルより読み出される
ことを特徴とする自発光表示装置。
【請求項４】
自発光パネル面のピーク輝度を１フレーム単位で調整するピーク輝度調整装置において、
１フレーム期間中に入力される映像信号の平均階調値を算出する平均階調値算出部と、
算出された平均階調値に応じた標準ピーク輝度を求め、当該標準ピーク輝度と算出された平均階調値で消費される消費電力量を算出する消費電力算出部と、
一定期間内に消費される消費電力の合計値が設定電力量を超えないように、前記標準ピーク輝度を調整するピーク輝度調整部と
を有することを特徴とするピーク輝度調整装置。
【請求項５】
自発光パネル面のピーク輝度を１フレーム単位で調整するピーク輝度調整装置を搭載する電子機器において、
１フレーム期間中に入力される映像信号の平均階調値を算出する平均階調値算出部と、
算出された平均階調値に応じた標準ピーク輝度を求め、当該標準ピーク輝度と算出された平均階調値で消費される消費電力量を算出する消費電力算出部と、
一定期間内に消費される消費電力の合計値が設定電力量を超えないように、前記標準ピーク輝度を調整するピーク輝度調整部と
を有することを特徴とする電子機器。
【請求項６】
自発光パネル面のピーク輝度を１フレーム単位で調整するピーク輝度調整方法において、
１フレーム期間中に入力される映像信号の平均階調値を算出する処理と、
算出された平均階調値に応じた標準ピーク輝度を求め、当該標準ピーク輝度と算出された平均階調値で消費される消費電力量を算出する処理と、
一定期間内に消費される消費電力の合計値が設定電力量を超えないように、前記標準ピーク輝度を調整する処理と
を有することを特徴とするピーク輝度調整方法。
【請求項７】
自発光パネル面のピーク輝度を１フレーム単位で調整するコンピュータに、
１フレーム期間中に入力される映像信号の平均階調値を算出する処理と、
算出された平均階調値に応じた標準ピーク輝度を求め、当該標準ピーク輝度と算出された平均階調値で消費される消費電力量を算出する処理と、
一定期間内に消費される消費電力の合計値が設定電力量を超えないように、前記標準ピーク輝度を調整する処理と
を実行させるコンピュータプログラム。
【発明の詳細な説明】
【技術分野】
【０００１】
この明細書で説明する発明は、自発光表示パネル（装置）で消費される電力を規定範囲内に強制的に抑制する技術に関する。
なお、発明者らが提案する発明は、自発光表示装置、ピーク輝度調整装置、電子機器、ピーク輝度調整方法及びプログラムとしての側面を有する。
【背景技術】
【０００２】
有機ＥＬディスプレイは、広視野角特性、応答速度、広色再現性範囲、高コントラスト性能に優れるだけでなく、表示パネル自体を薄く形成することができる。これらの利点により、有機ＥＬディスプレイは、次世代フラットパネルディスプレイの最有力候補として注目されている。
【０００３】
さらに昨今では、応答速度やコントラス性能を発光時間の可変制御を通じて改善する手法が検討されている。発光時間の可変制御技術を開示する公知技術には、例えば以下に示す特許文献１〜３がある。
【特許文献１】特開２００３−０１５６０５号公報
【特許文献２】特開２００１−３４３９４１号公報
【特許文献３】特開２００２−１３２２１８号公報
【発明の開示】
【発明が解決しようとする課題】
【０００４】
ところで、特許文献１〜３に開示された各発明は、いずれも画質の向上を目的として検討されたものであるが、定消費電力化や消費電力の抑制化についての視点は検討されていない。
実際、有機ＥＬディスプレイその他の自発光表示装置では、一定輝度のパックライトを常時点灯状態させる方式の表示装置とは異なり、入力される映像信号に応じて表示パネルに流れる電流量が劇的に変化する特性がある。
【０００５】
この特性のため、自発光表示装置における単位時間当たりの消費電力は一定にはならない。すなわち、表示パネルの消費電力が表示内容に応じて極端に変化する問題がある。また、表示パネルを搭載する電子機器がバッテリー駆動される場合には、表示内容に応じて使用時間が極端に変化する問題がある。この問題を解決するには、バッテリー容量を大型化する必要がある。
【課題を解決するための手段】
【０００６】
発明者らは、自発光パネル面のピーク輝度を１フレーム単位で調整するピーク輝度調整装置として、以下の各機能を搭載するものを提案する。
（ａ）１フレーム期間中に入力される映像信号の平均階調値を算出する平均階調値算出部
（ｂ）算出された平均階調値に応じた標準ピーク輝度を求め、当該標準ピーク輝度と算出された平均階調値で消費される消費電力量を算出する消費電力算出部
（ｃ）一定期間内に消費される消費電力の合計値が設定電力量を超えないように、標準ピーク輝度を調整するピーク輝度調整部
【発明の効果】
【０００７】
発明に係る手法の採用により、自発光パネルで消費される電力量を定量化又は一定量以下に抑制することができる。
を実現できる。
【発明を実施するための最良の形態】
【０００８】
以下、発明に係る処理機能を搭載した有機ＥＬパネルモジュールについて説明する。
なお、本明細書で特に図示又は記載されない部分には、当該技術分野の周知又は公知技術を適用する。
また以下に説明する形態例は、発明の一つの形態例であって、これらに限定されるものではない。
【０００９】
（Ａ）ピーク輝度の調整
表示パネルのピーク輝度は、最大データの入力時に表示素子に印加される出力電圧（出力電流）又は発光時間の可変制御により調整することができる。
図１に、発光時間と発光輝度との関係を示す。図１に示すように、発光輝度は発光時間に対して線形に変化する。
図２（Ａ）に、表示素子に印加される出力電圧と発光輝度との関係を示す。図２（Ｂ）に、入力映像信号の階調値（％）と表示素子に印加される出力電圧（基準値を１００％で表す。）との間の入出力関係を示す。
【００１０】
ここで、図２（Ｂ）に実線で示す曲線は基準値に対応する入出力関係であり、破線で示す曲線は最大データの入力時に表示素子に印加される最大出力電圧Ｖmax （最大出力電流Ｉmax ）を可変制御した場合の入出力関係を示す。図２に示すように、同じ入力階調値でも最大出力電圧Ｖmax （最大出力電流Ｉmax ）を可変制御すると、発光輝度が可変制御される。
【００１１】
さて、表示パネルのピーク輝度は、最大出力電圧Ｖmax （最大出力電流Ｉmax ）と発光時間との積Ｓで与えられる。
従って、発光時間又は最大出力電圧Ｖmax （最大出力電流Ｉmax ）を個別に可変制御すれば、表示パネルのピーク輝度を可変制御することが可能となる。
【００１２】
（Ｂ）有機ＥＬパネルの構造例
続いて、ピーク輝度の可変制御を可能とする有機ＥＬパネルモジュールの構造例を説明する。
図３に、有機ＥＬパネルモジュール１の構造例を示す。有機ＥＬパネルモジュール１は、発光領域３Ａ（有機ＥＬ素子がマトリクス状に配列された領域）と、画像の表示を制御するパネル駆動回路とで構成される。
パネル駆動回路は、データドライバ５、最大出力電圧制御用ドライバ７Ａ、ゲートスキャンドライバ７Ｂ、点灯時間制御用ゲートドライバ７Ｃで構成される。なお、パネル駆動回路は、発光領域３Ａの周辺部に形成する。
【００１３】
各画素に対応する有機ＥＬ素子３Ｂとその駆動回路（画素駆動回路）３Ｃは、データ線３Ｄと走査線３Ｅの交点位置に配置されている。画素駆動回路３Ｃは、データスイッチ素子Ｔ１、キャパシタＣ１、電流駆動素子Ｔ２、点灯スイッチ素子Ｔ３で構成される。
このうち、データスイッチ素子Ｔ１は、データ線３Ｄを通じて与えられる電圧値の取り込みタイミングを制御するのに用いられる。取り込みタイミングは、走査線３Ｅを通じて線順次で与えられる。
【００１４】
キャパシタＣ１は、取り込んだ電圧値を１フレームの間保持するのに用いられる。キャパシタＣ１を用いることで、面順次駆動が実現される。
電流駆動素子Ｔ２は、キャパシタＣ１の電圧値に応じた電流を有機ＥＬ素子３Ｂに供給するのに用いられる。駆動電流は、電流供給線３Ｆを通じて供給される。なお、この電流供給線３Ｆには、最大出力電圧制御用ドライバ７Ａを通じて最大出力電圧Ｖmax が印加される。
【００１５】
点灯スイッチ素子Ｔ３は、有機ＥＬ素子３Ｂに対する駆動電流の供給を制御するのに用いられる。点灯スイッチ素子Ｔ３は、駆動電流の供給経路に対して直列に配置される。点灯スイッチ素子Ｔ３が閉じている間、有機ＥＬ素子３Ｂが点灯する。一方、点灯スイッチ素子Ｔ３が開いている間、有機ＥＬ素子３Ｂが消灯する。
この点灯スイッチ素子Ｔ３の開閉動作を制御するデューティパルス（図４（Ｂ））を供給するのが点灯制御線３Ｇである。なお、図４（Ａ）は、基準期間としての１フレーム期間を示す。
【００１６】
ここで、電流供給線３Ｆに印加する電圧の可変制御は、最大出力電圧制御用ドライバ７Ａが実行する。また、発光時間の可変制御は、点灯時間制御用ゲートドライバ７Ｃが実行する。これらドライバの制御信号は、後述する発光条件制御装置より供給される。
なお、ピーク輝度を発光時間長で制御する場合には、最大出力電圧制御用ドライバ７Ａは全てのフレームについて固定電圧を供給する。一方、ピーク輝度を最大出力電圧Ｖmax で制御する場合には、点灯時間制御用ゲートドライバ７Ｃは、全てのフレームについて固定比のデューティパルスを供給する。
【００１７】
図５に、画素駆動回路３Ｃを形成した発光領域３Ａを搭載する有機ＥＬパネルモジュール１の構造例を示す。図５の場合、ピーク輝度調整装置１１は、タイミングジェネレータ９の一部分として実装する。
なお、発光領域３Ａの周辺回路（パネル駆動回路）は、半導体集積回路としてパネル基板上に搭載しても良いし、パネル基板上に半導体プロセスを用いて直接形成しても良い。
【００１８】
（Ｃ）ピーク輝度調整装置の形態例
以下、一定期間内に消費される消費電力の合計値が設定電力量を超えないように、映像信号のピーク輝度をリアルタイムで制御可能なピーク輝度調整装置１１（図６）の形態例を説明する。
【００１９】
（Ｃ−１）ピーク輝度調整装置の構成例
図６に、ピーク輝度調整装置１１に採用して好適な構成例の一つを示す。
この形態例に係るピーク輝度調整装置１１は、平均階調値算出部１３と、消費電力量一定化制御部１５と、ピーク輝度制御部１７と、フレーム遅延部１９とで構成する。
平均階調値算出部１３は、１フレーム期間中に入力される映像信号の平均階調値ＡＰＬn をフレーム単位で算出する処理デバイスである。ここでの添字ｎは、時間（例えばフレーム番号）を意味する。
【００２０】
図７に、平均階調値算出部１３の内部構成例を示す。平均階調値算出部１３は、グレースケール変換部１３１と１フレーム内全画素階調平均計算部１３３で構成する。
グレースケール変換部１３１は、入力された映像信号をグレースケール信号に変換する処理デバイスである。
１フレーム内全画素階調平均計算部１３３は、１フレームを構成する全画素について階調値の平均値を算出する処理デバイスである。
【００２１】
消費電力量一定化制御部１５は、一定期間内での消費電力が設定電力量に収まるように、各フレームの消費電力量を残存する消費電力量に応じて調整する処理デバイスである。
図８に、消費電力量一定化制御部１５の内部構成例を示す。消費電力量一定化制御部１５は、消費電力算出部１５１と、ピーク輝度調整部１５３で構成する。
消費電力算出部１５１は、算出された平均階調値ＡＰＬに応じた標準ピーク輝度を読み出し、当該標準ピーク輝度と算出された平均階調値で消費される消費電力量を算出する処理デバイスである。
【００２２】
この形態例の場合、標準ピーク輝度は、ピーク輝度倍率ＳＥＬ＿ＰＫで与える。ピーク輝度倍率ＳＥＬ＿ＰＫは、基準ピーク輝度に対する倍率であり、事前に設定されるものとする。
この場合、あるフレームの消費電力は、平均階調値ＡＰＬ×ピーク輝度倍率ＳＥＬ＿ＰＫ×基準ピーク輝度で与えられる。
消費電力算出部１５１は、平均階調値ＡＰＬに応じたピーク輝度倍率ＳＥＬ＿ＰＫを、図９に示すルックアップテーブルを使用して読み出す。
【００２３】
図９に示すルックアップテーブルでは、平均階調値ＡＰＬが小さいほど、ピーク輝度倍率ＳＥＬ＿ＰＫを大きな値に設定する。図９では、２倍に設定する。これは平均階調値が低い画面内に高輝度領域が含まれる場合（例えば、夜空の映像に星が光る場合）にも十分なコントラストを確保するためである。
一方、図９に示すルックアップテーブルでは、平均階調値ＡＰＬが大きいほど、ピーク輝度倍率ＳＥＬ＿ＰＫを小さな値に設定する。
平均階調値ＡＰＬに応じたピーク輝度倍率ＳＥＬ＿ＰＫを以上の関係に定めることにより、画質を考慮した標準ピーク輝度が得られる。
【００２４】
ピーク輝度調整部１５３は、一定期間内に消費される消費電力の合計値が設定電力量Ｓmax を超えないように、先に算出した標準ピーク輝度を調整する処理デバイスである。何らの調整もしない場合、表示内容によっては設定電力量Ｓmax を超えてしまうためである。
ピーク輝度調整部１５３は、基準期間（制御単位）内の残存期間で消費可能な実際の消費電力量（残存電力量）Ａと、基準期間（制御単位）の全期間を同じピーク輝度で常時点灯する場合における残存期間での消費電力量Ｂとの比に応じて、対応フレームのピーク輝度を調整する。
【００２５】
具体的には、フレームｎのピーク輝度倍率ＰＫn を、（Ａ／Ｂ）×標準ピーク輝度倍率ＳＥＬ＿ＰＫn で与える。
ここで、実際の残存電力量Ａは、（Ｓn-1
−ＡＰＬn ×ＳＥＬ＿ＰＫn ）×基準ピーク輝度で与える。また、同一ピーク輝度で常時点灯する場合に消費可能な残存電力量Ｂは、（（Ｔflat−ｎ）×ＡＰＬflat）×基準ピーク輝度で与える。
なお、Ｔflatは、基準期間に設定したフレーム数である。また、ＡＰＬflatは、消費電力量を制限するためのＡＰＬ設定値（規定された消費電力を満たすように、基準期間の全期間を同じピーク輝度で点灯する場合におけるフレーム単位の平均階調値）である。
【００２６】
ところで、基準期間内に消費可能な残存電力量を与える初期値Ｓ0 （＝Ｓmax ）は、Ｔflat×ＡＰＬflat×ＰＫflatで与える。ＰＫflatは、ＡＰＬflatに対応するピーク輝度倍率である。
また、ｎフレーム目をピーク輝度倍率ＰＫn で点灯した場合における残存電力量Ａ（＝Ｓn ）は、ｎ−１フレーム目の残存電力量Ｓn-1 を用いることにより、Ｓn-1 −ＡＰＬn ×ＰＫn で与えられる。なお、計算上は基準ピーク輝度が省略されるため、ここでの電力量では、乗算すべき基準ピーク輝度の記載を省略している。
【００２７】
かかる制御により、入力映像信号の平均階調値に対応するピーク輝度倍率ＰＫn は、以下のように調整される。
例えば、設定された消費電力を達成する平均階調値よりも明るいフレームが続く等により、実際の残存消費電力Ａが全期間を平均的に点灯制御する際の残存電力量Ｂよりも小さくなっている場合には、調整後のピーク輝度倍率ＰＫn は、本来の平均階調値に対応するピーク輝度倍率ＳＥＬ＿ＰＫn よりも小さい値に制御される。
【００２８】
また例えば、設定された消費電力を達成する平均階調値よりも暗いフレームが続く等により、実際の残存消費電力Ａが全期間を平均的に点灯制御する際の残存電力量Ｂよりも大きくなっている場合には、調整後のピーク輝度倍率ＰＫn は、本来の平均階調値に対応するピーク輝度倍率ＳＥＬ＿ＰＫn よりも大きい値に制御される。
【００２９】
ピーク輝度制御部１７と、消費電力量一定化制御部１５から与えられるピーク輝度倍率ＰＫn だけ、１フレーム内の点灯時間に相当する基準パルス幅をパルス幅変調し、得られたパルス幅の信号をデューティ比信号として出力する。以下、このデューティ比信号を「ピークコントロール信号」という。
なお、ピーク輝度制御部１７は、入力映像信号の垂直同期信号Ｖsyncに同期したタイミングでピークコントロール信号を生成する。
【００３０】
フレーム遅延部１９は、消費電力量一定化制御部１５から出力されるピークコントロール信号と有機ＥＬパネルに出力される映像信号の位相が一致するように映像信号を遅延するバッファメモリである。遅延時間は、任意である。
図１０に、入出力フレームの位相関係を示す。図１０（Ａ）は、映像信号ＶＳのフレーム番号（位相）を示す図である。図１０（Ｂ）は、フレーム遅延部１９に入力される画像データの番号（位相）を示す図である。
【００３１】
図１０（Ｃ）は、平均階調値算出部１３より出力される平均階調値ＡＰＬの番号（位相）を示す図である。図１０（Ｄ）は、フレーム遅延部１９から出力される画像データの番号（位相）を示す図である。図１０（Ｅ）は、ピーク輝度制御部１７から出力されるピークコントロール信号（位相）を示す図である。
図１０（Ｂ）及び（Ｄ）を対比して分かるように、フレーム遅延部１９では画像データが１フレーム分遅延されている。このため、図１０（Ｄ）及び（Ｅ）に示すように、映像信号とピークコントロール信号の同期が確保される。
【００３２】
（ｂ）ピーク輝度調整装置での処理動作の流れ
図１１に、以上説明したピーク輝度調整装置１１で実行される処理動作の概略を示す。
ピーク輝度調整装置１１は、各フレームの平均階調値ＡＰＬn を算出し（Ｓ１）、平均階調値に対応するピーク輝度倍率ＳＥＬ＿ＰＫを求める。
この後、ピーク輝度調整装置１１は、現フレームの平均階調値ＡＰＬn とピーク輝度倍率ＳＥＬ＿ＰＫとを用いて入力映像信号本来の消費電力量を算出する（Ｓ２）。
【００３３】
次に、ピーク輝度調整装置１１は、基準期間内に実際に消費される消費電力量が事前の設定量を超えないように、各フレームのピーク輝度（倍率）を調整する（Ｓ３）。
調整後のピーク輝度（倍率）に応じてパルス幅変調したピークコントロール信号を有機ＥＬパネルモジュール１に出力する（Ｓ４）。
【００３４】
図１２に、前述したピーク輝度制御機能の適用時における消費電力量の推移を示す。
いずれの基準期間（０−ｔ0 、ｔ1 −ｔ2 、ｔ2 −ｔ3 …）についても、各基準期間で消費可能な設定電力量Ｓmax 以下に抑制されていることが分かる。
なお、Ｓn （ｎ＝０、１、２…）は、各基準期間内での実際の消費電力量である。
【００３５】
（ｃ）実現される効果
以上説明したピーク輝度調整装置をパネル基板上に搭載することにより、有機ＥＬパネルの定消費電力化又は消費電力抑制化を実現できる。勿論、入力映像信号に応じたピーク輝度で点灯制御しても事前に設定した消費電力量を満たす場合には、入力映像信号を高い画質のまま表示することができる。
また、前述したピーク輝度の可変調整機能は、ソフトウェア処理で実現する場合にも演算負荷が小さく、集積回路で実現する場合にも非常に小規模な回路で実現することが可能であり、有機ＥＬパネルモジュールへの実装に有利である。
【００３６】
（Ｄ）他の形態例
（ａ）前述の形態例では、発光時間の調整によりピーク輝度を可変制御する場合について説明したが、最大出力電圧の調整によりピーク輝度を可変制御しても良い。また、発光時間及び最大出力電圧の双方を同時に調整し、ピーク輝度を可変制御しても良い。
（ｂ）前述の形態例では、算出された平均階調値ＡＰＬに対応する標準ピーク輝度ＳＥＬ＿ＰＫを、ルックアップテーブルから読み出す場合について説明したが、事前に設定した関係に従って算出しても良い。
【００３７】
（ｃ）前述の形態例では、有機ＥＬパネルモジュール１に最大出力電圧制御用ドライバ７Ａと点灯時間制御用ゲートドライバ７Ｃを２つとも搭載するものとして説明した。
しかし、ピーク輝度の可変制御機能は、発光時間又は最大出力電圧のいずれか一方を可変制御することで実現できる。従って、発光時間を可変制御する方式を採用する場合には最大出力電圧制御用ドライバ７Ａを搭載しない構成を採用し、最大出力電圧を可変制御する方式を採用する場合には点灯時間制御用ゲートドライバ７Ｃを搭載しない構成を採用しても良い。
【００３８】
（ｄ）前述の形態例においては、有機ＥＬディスプレイパネルについて説明したが、無機ＥＬディスプレイパネルにも応用できる。また例えば、ＦＥＤ（field emission display） 、無機ＥＬディスプレイパネル、ＬＥＤパネル、ＰＤＰ（Plasma Display
Panel）パネルその他の自発光パネルに適用できる。
【００３９】
（ｅ）前述の形態例においては、ピーク輝度調整装置１１を有機ＥＬディスプレイパネル上に実装する場合について説明した。
しかし、この有機ＥＬディスプレイパネルその他の表示装置は、単独の商品形態でも良いし、他の画像処理装置の一部として搭載されても良い。
例えば、ビデオカメラ、デジタルカメラその他の撮像装置（カメラユニットだけでなく、記録装置と一体に構成されているものを含む。）、情報処理端末（携帯型のコンピュータ、携帯電話機、携帯型のゲーム機、電子手帳等）、ゲーム機の表示デバイスとしも実現できる。
特に、バッテリー駆動される電子機器に搭載する場合には、既存のバッテリー容量でより長時間の使用を達成できる。
【００４０】
（ｆ）前述の形態例では、ピーク輝度調整装置１１を有機ＥＬディスプレイパネル上に実装する場合について説明した。
しかし、ピーク輝度調整装置１１は、有機ＥＬディスプレイパネルその他の表示装置に対して入力映像信号を供給する画像処理装置側に搭載しても良い。この場合、画像処理装置から表示装置にデューティパルスや電圧値を供給する方式を採用しても良いし、これらの値を指示する情報を画像処理装置から表示装置に与える方式を採用しても良い。
【００４１】
（ｇ）前述の形態例では、ピーク輝度調整装置１１を機能構成の観点から説明したが、言うまでもなく、同等の機能をハードウェアとしてもソフトウェアとしても実現できる。
また、これらの処理機能の全てをハードウェア又はソフトウェアで実現するだけでなく、その一部はハードウェア又はソフトウェアを用いて実現しても良い。すなわち、ハードウェアとソフトウェアの組み合わせ構成としても良い。
（ｈ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００４２】
【図１】発光時間と発光輝度の関係を説明する図である。
【図２】出力電圧と発光輝度との関係を説明する図である。
【図３】有機ＥＬパネルモジュールの構造例を示す図である。
【図４】発光時間長を制御するデューティパルス例を示す図である。
【図５】有機ＥＬパネルモジュールの構造例を示す図である。
【図６】ピーク輝度調整装置の構成例を示す図である。
【図７】平均階調値算出部の内部構成例を示す図である。
【図８】消費電力量一定化制御部の内部構成例を示す図である。
【図９】平均階調値にピーク輝度倍率を対応付けたルックアップテーブル例を示す図である。
【図１０】各部の位相関係を示す図である。
【図１１】ピーク輝度調整装置が実行する処理動作例を示す図である。
【図１２】ピーク輝度調整による消費電力量の推移例を示す図である。
【符号の説明】
【００４３】
１        有機ＥＬパネルモジュール
３Ａ      発光領域
５        データドライバ
７Ａ      電圧切替ドライバ７Ａ
７Ｂ      ゲートスキャンドライバ
７Ｃ      点灯時間制御用ゲートドライバ
９        タイミングジェネレータ
１１      ピーク輝度調整装置
１３      平均階調値算出部
１５      消費電力量一定化制御部
１５１    消費電力算出部
１５３    ピーク輝度調整部
１７      ピーク輝度制御部
１９      フレーム遅延部
【図１】
2007147868.tif 000003
【図２】
2007147868.tif 000004
【図３】
2007147868.tif 000005
【図４】
2007147868.tif 000006
【図５】
2007147868.tif 000007
【図６】
2007147868.tif 000008
【図７】
2007147868.tif 000009
【図８】
2007147868.tif 000010
【図９】
2007147868.tif 000011
【図１０】
2007147868.tif 000012
【図１１】
2007147868.tif 000013
【図１２】
2007147868.tif 000014